(57)【要約】【課題】原稿収容部に収容された原稿の送出性を向上させる。【解決手段】原稿収容部４２に収容された原稿Ｇに接触し、回転することによって原稿Ｇを搬送機構４４へ繰り出す繰出部材５０と、回転駆動され、繰出部材５０を回転可能に支持する回転軸５１と、回転軸５１と同軸となるように、繰出部材５０の端部に形成された被係合部５０Ａと、回転軸５１の軸方向に移動することで、被係合部５０Ａに係合部８２を係合させ、繰出部材５０に回転を伝達する伝達位置と、被係合部５０Ａと係合部８２との係合を解除する解除位置とを取り得る伝達部材８０と、回転軸５１に設けられ、回転軸５１と伝達部材８０との相対回転に伴い、伝達部材８０を伝達位置に移動させるとともに、回転軸５１の回転を伝達部材８０に伝達する移動手段８６と、伝達部材８０の外面に接触して伝達部材８０に回転方向の抵抗を付与する抵抗体９０と、を有する原稿搬送装置４０とする。【選択図】図６
2012062186.tif 000002
【特許請求の範囲】
【請求項１】
原稿が収容される原稿収容部と、
前記原稿収容部に収容された前記原稿を搬送路に沿って搬送する搬送機構と、
前記原稿収容部に収容された前記原稿に接触し、回転することによって該原稿を前記搬送機構へ繰り出す繰出部材と、
回転駆動され、前記繰出部材を回転可能に支持する回転軸と、
前記回転軸と同軸となるように、前記繰出部材の端部に形成された被係合部と、
前記回転軸の軸方向に移動することで、前記被係合部に係合部を係合させ、前記繰出部材に回転を伝達する伝達位置と、前記被係合部と前記係合部との係合を解除する解除位置とを取り得る伝達部材と、
前記回転軸に設けられ、前記回転軸と前記伝達部材との相対回転に伴い、前記伝達部材を前記伝達位置に移動させるとともに、前記回転軸の回転を前記伝達部材に伝達する移動手段と、
前記伝達部材の外面に接触して該伝達部材に回転方向の抵抗を付与する抵抗体と、
を有することを特徴とする原稿搬送装置。
【請求項２】
前記抵抗体の前記回転軸の軸方向における長さは、前記伝達部材の前記回転軸の軸方向における長さと略同一であることを特徴とする請求項１に記載の原稿搬送装置。
【請求項３】
前記回転軸を回転可能に支持するとともに、前記繰出部材の外周面を露出させた状態で該繰出部材を収容する筐体を有し、
前記抵抗体は、前記回転軸の周方向における一端部が、該回転軸の回転方向上流側における前記筐体の開口縁部に取り付けられ、前記回転軸の周方向における他端部が、自由端とされていることを特徴とする請求項１又は請求項２に記載の原稿搬送装置。
【請求項４】
前記回転軸の外周面及び前記伝達部材の内周面の少なくとも一方には、該回転軸の軸方向に沿って複数の溝部が形成されていることを特徴とする請求項１〜請求項３の何れか１項に記載の原稿搬送装置。
【請求項５】
請求項１〜請求項４の何れか１項に記載の原稿搬送装置と、
前記原稿搬送装置の搬送機構によって搬送された原稿の画像情報を読み取る原稿読取部と、
前記原稿読取部で読み取った画像情報に基づき、記録媒体に画像を形成する画像形成部と、
を有することを特徴とする画像形成装置。
【発明の詳細な説明】
【技術分野】
【０００１】
本発明は、原稿搬送装置及び画像形成装置に関する。
【背景技術】
【０００２】
供給トレイ上に積載されたシートを上層より１枚ずつ繰り出すシート送り装置は、従来から知られている（例えば、特許文献１参照）。
【先行技術文献】
【特許文献】
【０００３】
【特許文献１】特開平１１−７９４３４号公報
【発明の概要】
【発明が解決しようとする課題】
【０００４】
本発明は、原稿収容部に収容された原稿の送出性を向上できる原稿搬送装置及び画像形成装置を得ることを目的とする。
【課題を解決するための手段】
【０００５】
上記の目的を達成するために、本発明に係る請求項１に記載の原稿搬送装置は、原稿が収容される原稿収容部と、前記原稿収容部に収容された前記原稿を搬送路に沿って搬送する搬送機構と、前記原稿収容部に収容された前記原稿に接触し、回転することによって該原稿を前記搬送機構へ繰り出す繰出部材と、回転駆動され、前記繰出部材を回転可能に支持する回転軸と、前記回転軸と同軸となるように、前記繰出部材の端部に形成された被係合部と、前記回転軸の軸方向に移動することで、前記被係合部に係合部を係合させ、前記繰出部材に回転を伝達する伝達位置と、前記被係合部と前記係合部との係合を解除する解除位置とを取り得る伝達部材と、前記回転軸に設けられ、前記回転軸と前記伝達部材との相対回転に伴い、前記伝達部材を前記伝達位置に移動させるとともに、前記回転軸の回転を前記伝達部材に伝達する移動手段と、前記伝達部材の外面に接触して該伝達部材に回転方向の抵抗を付与する抵抗体と、を有することを特徴としている。
【０００６】
また、請求項２に記載の原稿搬送装置は、請求項１に記載の原稿搬送装置において、前記抵抗体の前記回転軸の軸方向における長さが、前記伝達部材の前記回転軸の軸方向における長さと略同一であることを特徴としている。
【０００７】
また、請求項３に記載の原稿搬送装置は、請求項１又は請求項２に記載の原稿搬送装置において、前記回転軸を回転可能に支持するとともに、前記繰出部材の外周面を露出させた状態で該繰出部材を収容する筐体を有し、前記抵抗体は、前記回転軸の周方向における一端部が、該回転軸の回転方向上流側における前記筐体の開口縁部に取り付けられ、前記回転軸の周方向における他端部が、自由端とされていることを特徴としている。
【０００８】
また、請求項４に記載の原稿搬送装置は、請求項１〜請求項３の何れか１項に記載の原稿搬送装置において、前記回転軸の外周面及び前記伝達部材の内周面の少なくとも一方には、該回転軸の軸方向に沿って複数の溝部が形成されていることを特徴としている。
【０００９】
また、本発明に係る請求項５に記載の画像形成装置は、請求項１〜請求項４の何れか１項に記載の原稿搬送装置と、前記原稿搬送装置の搬送機構によって搬送された原稿の画像情報を読み取る原稿読取部と、前記原稿読取部で読み取った画像情報に基づき、記録媒体に画像を形成する画像形成部と、を有することを特徴としている。
【発明の効果】
【００１０】
請求項１に記載の発明によれば、伝達部材に回転方向の抵抗を付与する抵抗体が設けられていない構成に比べて、原稿収容部に収容された原稿の送出性を向上させることができる。
【００１１】
請求項２に記載の発明によれば、抵抗体の軸方向における長さが、伝達部材の軸方向における長さと略同一でない構成に比べて、伝達部材に対して回転方向の抵抗を適度に付与することができる。
【００１２】
請求項３に記載の発明によれば、抵抗体の一端部が筐体に取り付けられ、他端部が自由端とされていない構成に比べて、伝達部材に対して回転方向の抵抗を適度に付与することができる。
【００１３】
請求項４に記載の発明によれば、回転軸の外周面及び伝達部材の内周面に軸方向に沿った複数の溝部が形成されていない構成に比べて、伝達部材の回転軸に対する軸方向の抵抗を低減させることができる。
【００１４】
請求項５に記載の発明によれば、請求項１〜請求項４の何れか１項に記載の原稿搬送装置を有しない構成に比べて、原稿収容部に収容された原稿の送出性を向上させることができる。
【図面の簡単な説明】
【００１５】
【図１】画像形成装置の構成を示す概略側面図
【図２】画像形成装置の構成を示す概略正面図
【図３】原稿搬送部を示す概略斜視図
【図４】原稿搬送部における搬送機構のピックアップロール側の構成を示す概略斜視図
【図５】原稿搬送部における搬送機構のピックアップロールと送出ロールの構成を示す概略斜視図
【図６】ピックアップロールと送出ロールの駆動伝達系を示す概略斜視図
【図７】ピックアップロール及び送出ロールに設けられたマイラーを示す概略斜視図
【図８】ピックアップロール及び送出ロールに設けられたマイラーを拡大して示す概略斜視図
【図９】ピックアップロール及び送出ロールに設けられたマイラーを示す概略断面図
【図１０】マイラーが設けられたときの伝達部材の移動を示す説明図
【発明を実施するための形態】
【００１６】
以下、本発明に係る実施の形態について図面を基に詳細に説明する。なお、図１において、矢印ＵＰを画像形成装置１０の上方向とし、矢印ＦＲを画像形成装置１０の前方向とする。そして、図２において、矢印ＲＩを画像形成装置１０の右方向とし、原稿Ｇ（図２参照）の排出方向とする。また、本実施形態では、画像が形成される記録媒体の一例として記録用紙Ｐ（図１参照）を採用する。
【００１７】
図１、図２で示すように、画像形成装置１０は、原稿Ｇを搬送する原稿搬送装置の一例としての原稿搬送部４０と、原稿Ｇの画像情報を読み取る原稿読取部１２と、原稿読取部１２の下部に配置された本体部１４と、を有している。なお、原稿搬送部４０については、後で詳述する。
【００１８】
本体部１４は、原稿読取部１２で読み取られた画像情報に基づいて、記録用紙Ｐへ画像を形成するようになっており、下部に配設された給紙トレイ１６と、給紙トレイ１６の上部に配置されて画像を形成する画像形成部１８と、を有している。そして、この画像形成部１８は、露光装置２０と、画像形成ユニット２２と、を有している。
【００１９】
露光装置２０は、原稿読取部１２で読み取られた画像情報に基づいて、図示しない光源から出射された光ビームを回転多面鏡（ポリゴンミラー）で走査し、反射ミラー等の複数の光学部品で反射して光ビームを出射するようになっており、対応する感光体ドラムに導かれるようになっている。
【００２０】
画像形成ユニット２２は、図示しない感光体ドラム、帯電ロール、クリーナー、転写ロール、現像器などを含んで構成されており、画像形成ユニット２２の下方側に給紙トレイ１６が配設されている。そして、給紙トレイ１６の後方側で、かつ上方側には、記録用紙Ｐの先端部の位置を調整する一対のレジストロール２４が配設されている。
【００２１】
また、画像形成ユニット２２よりも記録用紙Ｐの搬送方向下流側には、定着装置２６が配設されている。定着装置２６は、加熱ロール２６Ａと加圧ロール２６Ｂとを有しており、記録用紙Ｐを加熱、加圧して記録用紙Ｐに転写されたトナー像を、その記録用紙Ｐに定着させるようになっている。
【００２２】
また、定着装置２６よりも記録用紙Ｐの搬送方向下流側における画像形成部１８の上部は、開閉可能なカバー部材２８で覆われるようになっており、定着装置２６よりも記録用紙Ｐの搬送方向下流側に設けられた排出口３２から、記録用紙Ｐが、そのカバー部材２８の上面２８Ａに排出されるようになっている。また、この本体部１４には、各部の動作を制御する制御部３０が設けられている。
【００２３】
本体部１４の上部には原稿読取部１２が配設されている。この原稿読取部１２の前面には、図３で示すように、操作者が原稿Ｇの画像情報の読み取り、或いは複写指示等を入力操作するための表示部３６や、テンキー及びスタートボタン等を含む操作部３８を備えた操作パネルユニット３４が配設されている。
【００２４】
また、原稿読取部１２の上部には、原稿読取部１２の開閉蓋を兼用する原稿搬送部４０が設けられている。図２、図３で示すように、原稿搬送部４０は、画像情報が読み取られる原稿Ｇが（複数枚の場合は重ねて）収容される原稿収容部の一例としての原稿収容台４２と、外周部がゴム製とされ、原稿収容台４２上に収容された原稿Ｇを１枚ずつピックアップする繰出部材の一例としてのピックアップロール５０と、ピックアップロール５０から受け渡された原稿Ｇを折り返し形状の搬送路４５に沿って搬送させる搬送機構４４と、原稿収容台４２の下方に配置され、搬送路４５を搬送されて来た原稿Ｇが排出される原稿排出部の一例としての原稿排出台４６と、を有している。
【００２５】
つまり、原稿収容台４２及び原稿排出台４６は、原稿搬送部４０の一方側（図２における右側）に集約されて配置されるようになっている。具体的には、原稿収容台４２及び原稿排出台４６は、原稿搬送部４０の一方側（図２における右側）において、上下に重なるように配設されており、原稿収容台４２と原稿排出台４６との上下方向における間隔は、比較的狭く（普通紙の原稿Ｇで約２０枚排出可能な程度に）形成されている。
【００２６】
なお、原稿収容台４２の送出方向下流側における上面４２Ｃの一部は、原稿Ｇの送出方向側へ下る下り勾配となる傾斜面に形成されており、原稿排出台４６の排出方向下流側における上面４６Ａの一部は、原稿Ｇの排出方向側へ上る上り勾配となる傾斜面に形成されている（図２参照）。
【００２７】
また、図２で示すように、搬送機構４４は、外周部がゴム製とされ、ピックアップロール５０によってピックアップされた原稿Ｇを送り出す送出ロール５２と、送出ロール５２によって送られた原稿ＧをＵターンさせて表裏反転させる反転ロール５４と、反転ロール５４によって表裏反転された原稿Ｇを原稿排出台４６上へ排出する一対の排出ロール５６と、を有している。
【００２８】
したがって、原稿Ｇは、原稿収容台４２に読み取り対象となる画像情報が記録された読取面を上向きにして置かれ、ピックアップロール５０及び送出ロール５２によって送出方向へ搬送されると、搬送路４５及び反転ロール５４によって表裏反転され、原稿読取部１２に、その読取面を対面させる構成である。
【００２９】
そして、その原稿読取部１２によって読取面に記録されている画像情報が読み取られると、一対の排出ロール５６によって排出口５８から排出され、原稿排出台４６に、その読取面を下向きにして排出される（置かれる）構成である。なお、ピックアップロール５０及び送出ロール５２については、後で詳述する。
【００３０】
また、図２で示すように、排出口５８には、原稿排出台４６に排出された原稿Ｇを上方から押さえる（原稿Ｇが排出口５８から排出される排出途中のときにも上方から押さえて、原稿Ｇのばたつきを押さえる）マイラー６２が設けられている。このマイラー６２は、櫛歯状に形成され、その下端（自由端）は、原稿Ｇが無いときに、原稿排出台４６の上面４６Ａに接触するようになっている。
【００３１】
また、原稿排出台４６の上面４６Ａには、複数のリブ６０が排出ロール５６の軸方向（排出口５８の長手方向）に予め決められた間隔で突設されている。このリブ６０は、原稿排出台４６の上面４６Ａに排出された原稿Ｇの略中間部分を下方から支持するようになっている。このリブ６０とマイラー６２により、原稿排出台４６に排出された原稿Ｇの収容性が向上される構成である。
【００３２】
なお、櫛歯状とされたマイラー６２の間には、排出口５８から排出される原稿Ｇに接触し、その原稿Ｇを除電する複数の除電ブラシ６４が設けられている。また、原稿収容台４２には、原稿Ｇが収容されているか否かを検知する検知手段（図示省略）が設けられている。検知手段としては、例えば光反射型の光センサー等が用いられるが、他の構成のセンサーを用いてもよい。
【００３３】
また、図２で示すように、原稿収容台４２の傾斜面よりも原稿Ｇの送出方向上流側（排出方向下流側）で原稿排出台４６と対向する下面４２Ａは、排出ロール５６の軸方向（排出口５８の長手方向）から見て、原稿排出台４６へ向かって若干屈曲されている。そして、図３で示すように、原稿収容台４２の下面４２Ａの送出方向上流側には、排出ロール５６の軸方向に予め決められた間隔で、複数のリブ４２Ｂが並んで形成されている。
【００３４】
また、その下面４２Ａの送出方向上流側端部で、かつリブ４２Ｂ同士の間には、リブ４２Ｂよりも短尺なリブ４３が、排出ロール５６の軸方向に並んで形成されている。これら各リブ４２Ｂ、４３により、排出口５８から原稿排出台４６へ排出された原稿Ｇの幅方向両端部が上方に向かってカールしていても、その原稿Ｇの排出方向下流側端部が、原稿排出台４６の上面４６Ａへ案内される構成である。
【００３５】
次に、ピックアップロール５０及び送出ロール５２について更に詳細に説明する。図２、図４、図５で示すように、ピックアップロール５０及び送出ロール５２は、そのゴム製とされた外周面を露出させた状態で、筐体４８に回転可能に支持されつつ収容されている。
【００３６】
送出ロール５２は、円筒状に構成されており、その軸心孔に回転軸５３が通されることで、その回転軸５３に回転可能に支持されている。そして、筐体４８から突出している回転軸５３の一端部には、図示しない駆動源によって回転駆動される駆動ギア６６（図４、図５参照）が固定されている。
【００３７】
また、図６〜図８で詳細に示すように、回転軸５３の他端部側には、回転軸５３の回転駆動力を送出ロール５２に伝達するためのＰＯＭ（ポリアセタール）等の樹脂製の伝達部材７０が、その回転軸５３の軸方向に移動可能に支持されている。すなわち、この伝達部材７０は、送出ロール５２と同様に円筒状に構成され、軸心孔に回転軸５３が通されることで、その回転軸５３に移動可能に支持されている。
【００３８】
そして、伝達部材７０の送出ロール５２の端面（端部）に対向する一方の端面には、送出ロール５２の端面に形成された被係合部の一例としての被係合爪５２Ａと噛合（係合）する係合部の一例としての係合爪７２が形成されている。なお、この係合爪７２及び被係合爪５２Ａは、回転軸５３の軸方向に互いに対向するように突出する三角爪とされており、回転軸５３と同軸となるように、それぞれ周方向に複数形成されている。
【００３９】
また、この伝達部材７０の他方の端面には、回転軸５３の軸方向に沿った直線部７４Ａと、その軸方向に対して傾斜した傾斜部７４Ｂとからなるカム部７４が形成されている。このカム部７４は、回転軸５３に固定された後述する伝達ギア６８の送出ロール５２側に一体に形成された移動手段の一例としての凸部７６と係合するようになっている。
【００４０】
すなわち、この凸部７６は、回転軸５３の外周面において、その軸方向（伝達部材７０側）に突出するように設けられており、カム部７４と同様に、回転軸５３の軸方向に沿った直線部７６Ａと、その軸方向に対して傾斜した傾斜部７６Ｂと、を有している。
【００４１】
したがって、回転軸５３が回転することにより凸部７６が回転すると、伝達部材７０と回転軸５３との相対回転により、凸部７６の傾斜部７６Ｂが、カム部７４の直線部７４Ａにおけるエッジ部７４Ｃを押す。すると、伝達部材７０は、その凸部７６の傾斜部７６Ｂに沿ってエッジ部７４Ｃが相対移動することにより、回転軸５３の軸方向に沿って送出ロール５２側へ移動する。そして、送出ロール５２の被係合爪５２Ａに伝達部材７０の係合爪７２が噛合する。
【００４２】
また、このとき、凸部７６の直線部７６Ａとカム部７４の直線部７４Ａとが互いに接触した状態を維持している（図６、図８参照）。これにより、回転軸５３の回転駆動力が伝達部材７０を介して送出ロール５２に伝達される構成である。つまり、これにより、回転軸５３と送出ロール５２との間に相対回転はなく、回転軸５３の回転と一体に送出ロール５２が回転する構成である。なお、カム部７４と凸部７６は、それぞれ回転軸５３の周方向に等間隔に２つ形成されることが望ましい（図９参照）。
【００４３】
また、図６で示すように、回転軸５３に固定された樹脂製の伝達ギア６８は、筐体４８に回転可能に支持された中間ギア７８に噛合しており、その中間ギア７８は、ピックアップロール５０の回転軸５１に固定された樹脂製の伝達ギア８８に噛合している。これにより、回転軸５３の回転駆動力が中間ギア７８を介して回転軸５１に伝達される構成である。そして、このピックアップロール５０側の構成も、送出ロール５２側の構成と同等とされている。
【００４４】
すなわち、このピックアップロール５０も、円筒状に構成されており、その軸心孔に回転軸５１が通されることで、その回転軸５１に回転可能に支持されている。そして、回転軸５１の伝達ギア８８側には、回転軸５１の回転駆動力をピックアップロール５０に伝達するためのＰＯＭ（ポリアセタール）等の樹脂製の伝達部材８０が、その回転軸５１の軸方向に移動可能に支持されている。
【００４５】
この伝達部材８０は、伝達部材７０と同様に円筒状に構成され、軸心孔に回転軸５１が通されることで、その回転軸５１に移動可能に支持されており、ピックアップロール５０の端面（端部）に対向する一方の端面には、ピックアップロール５０の端面に形成された被係合部の一例としての被係合爪５０Ａと噛合する係合部の一例としての係合爪８２が形成されている。
【００４６】
なお、この係合爪８２及び被係合爪５０Ａも、回転軸５１の軸方向に互いに対向するように突出する三角爪とされており、回転軸５１と同軸となるように、それぞれ周方向に複数形成されている。また、この伝達部材８０の他方の端面には、回転軸５１の軸方向に沿った直線部８４Ａと、その軸方向に対して傾斜した傾斜部８４Ｂとからなるカム部８４が形成されている（伝達部材７０と同等なので、図８においては括弧を付けて示す）。
【００４７】
このカム部８４は、回転軸５１に固定された伝達ギア８８のピックアップロール５０側に一体に形成された移動手段の一例としての凸部８６と係合するようになっている。すなわち、この凸部８６は、回転軸５１の外周面において、その軸方向（伝達部材８０側）に突出するように設けられており、カム部８４と同様に、回転軸５１の軸方向に沿った直線部８６Ａと、その軸方向に対して傾斜した傾斜部８６Ｂと、を有している。
【００４８】
したがって、回転軸５１が回転することにより凸部８６が回転すると、伝達部材８０と回転軸５１との相対回転により、凸部８６の傾斜部８６Ｂが、カム部８４の直線部８４Ａにおけるエッジ部８４Ｃを押す。すると、伝達部材８０は、その凸部８６の傾斜部８６Ｂに沿ってエッジ部８４Ｃが相対移動することにより、回転軸５１の軸方向に沿ってピックアップロール５０側へ移動する。そして、ピックアップロール５０の被係合爪５０Ａに伝達部材８０の係合爪８２が噛合する。
【００４９】
また、このとき、凸部８６の直線部８６Ａとカム部８４の直線部８４Ａとが互いに接触した状態を維持している（図６、図１０参照）。これにより、回転軸５１の回転駆動力が伝達部材８０を介してピックアップロール５０に伝達される構成である。つまり、これにより、回転軸５１とピックアップロール５０との間に相対回転はなく、回転軸５１の回転と一体にピックアップロール５０が回転する構成である。なお、カム部８４と凸部８６は、それぞれ回転軸５１の周方向に等間隔に２つ形成されることが望ましいことは、上記と同様である（図９参照）。
【００５０】
また、図６〜図９で示すように、ピックアップロール５０における伝達部材８０の外周面と筐体４８の内面との間には、伝達部材８０に対して回転方向（周方向）の摺動抵抗を付与する抵抗体の一例としてのマイラー９０が設けられている。このマイラー９０は、ＰＥＴ（ポリエチレンテレフタレート）等の樹脂材でフィルム状に成形されており、その厚さは０．１ｍｍ程度とされている。
【００５１】
そして、このマイラー９０は、一端部９０Ａが、回転軸５１の回転方向上流側における筐体４８の開口辺縁部に接着（貼付）によって取り付けられ、他端部９０Ｂが、筐体４８に取り付けられない自由端とされている。したがって、このマイラー９０は、自身の弾性力により、伝達部材８０に対して適度な圧力で接触し、その伝達部材８０に対して回転方向の摺動抵抗を適度に付与する構成である。
【００５２】
また、このマイラー９０の幅（回転軸５１の軸方向における長さ）は、伝達部材８０の外周面の最大幅（回転軸５１の軸方向における長さ）と略同一になっている。したがって、このマイラー９０は、自身の弾性力により、伝達部材８０の外周面に対して適度な圧力で面接触し、その伝達部材８０に対して回転方向の摺動抵抗をより適度に付与する構成である。
【００５３】
なお、図示のものは、送出ロール５２側の伝達部材７０の外周面と筐体４８の内面との間にもマイラー９０が設けられているが、伝達部材７０、８０の回転方向に摺動抵抗を付与するマイラー９０は、少なくともピックアップロール５０側の伝達部材８０の外周面と筐体４８の内面との間に設けられていればよい。
【００５４】
また、図７、図８で示すように、回転軸５１、５３の外周面には、その軸方向に沿って多数の溝部５１Ａ、５３Ａが形成されている。これにより、各回転軸５１、５３の外周面と各伝達部材７０、８０の内周面との接触面積が低減され、軸方向における両者の摺動抵抗が低減されて、静電気の発生が抑えられる構成である。
【００５５】
なお、回転軸５１、５３の外周面ではなく、伝達部材７０、８０の内周面に、軸方向に沿って多数の溝部（図示省略）を形成するようにしてもよい。また、溝部の幅（周方向における幅）を異なるように（互いに噛合しないように）すれば、回転軸５１、５３の外周面と伝達部材７０、８０の内周面との両方に多数の溝部を形成するようにしてもよい。
【００５６】
また、このピックアップロール５０は、原稿収容台４２上の原稿Ｇに接触する接触位置（下方位置）と、その接触位置から退避する退避位置（上方位置）とを取るように、送出ロール５２に対して公転（回転移動）可能に構成されている。
【００５７】
すなわち、ピックアップロール５０を回転可能に支持しつつ収容する筐体４８は、送出ロール５２の回転軸５３を支点として矢印Ａ方向（図２参照）に回転移動可能に支持されており、そのピックアップロール５０の回転軸５１が回転可能に支持されている送出方向上流側の辺縁部４８Ａ（ピックアップロール５０）側は、例えば引っ張りコイルバネ等の弾性部材９２（図４、図５参照）の弾性力により、退避位置（上方）へ向かう方向に常時付勢されるようになっている。
【００５８】
そして、図示しない駆動源によって回転駆動される送出ロール５２の回転軸５３の正方向（原稿Ｇの送出方向）への回転力により、筐体４８の辺縁部４８Ａ側が、弾性部材９２の弾性力（付勢力）に抗して下方へ回転移動し、その辺縁部４８Ａ側に回転可能に支持されているピックアップロール５０を接触位置へ回転移動させるようになっている。
【００５９】
なお、送出ロール５２の回転軸５３が逆回転すると、弾性部材９２の弾性力（付勢力）により、ピックアップロール５０は退避位置へ回転移動するようになっている。また、ピックアップロール５０は、送出ロール５２とは独立した力を利用して、接触位置又は退避位置へ移動させるように構成してもよい。
【００６０】
以上のような構成の原稿搬送部４０を備えた画像形成装置１０において、次にその作用について説明する。まず、画像形成装置１０を操作する操作者は、原稿収容台４２に画像情報が記録された読取面を上にして原稿Ｇを収容させる。原稿収容台４２に原稿Ｇが収容されると、検知手段により原稿Ｇが「有り」と検知される。そして、操作者が、操作部３８を操作すると、原稿Ｇの画像情報の読み取り動作が開始される。
【００６１】
すなわち、送出ロール５２の回転軸５３が駆動源によって回転駆動され、その回転駆動力により、筐体４８の辺縁部４８Ａ側が、送出ロール５２の回転軸５３を中心に、弾性部材９２の弾性力（付勢力）に抗して、下方に回転移動し、ピックアップロール５０が、退避位置から、原稿収容台４２に収容された原稿Ｇに接触する接触位置に回転移動する。
【００６２】
一方、回転軸５３と伝達部材７０との相対回転により、伝達ギア６８の凸部７６における傾斜部７６Ｂが、伝達部材７０のカム部７４における直線部７４Ａのエッジ部７４Ｃを相対的に押す。すると、エッジ部７４Ｃが傾斜部７６Ｂに沿って移動し、伝達部材７０が回転軸５３の軸方向に移動する。そして、その移動後は、凸部７６における直線部７６Ａとカム部７４における直線部７４Ａとが互いに接触した状態を維持する。
【００６３】
こうして、傾斜部７６Ｂにエッジ部７４Ｃが相対的に押されることで、回転軸５３の軸方向、即ち送出ロール５２の端面（被係合爪５２Ａ）に向かって移動した伝達部材７０は、その係合爪７２を、送出ロール５２の被係合爪５２Ａに噛合（係合）させる。これにより、回転軸５３の回転駆動力が伝達部材７０を介して送出ロール５２に伝達され、その送出ロール５２が回転軸５３と共に回転駆動される。
【００６４】
また、ピックアップロール５０の回転軸５１には、送出ロール５２の回転軸５３から、伝達ギア６８、中間ギア７８、伝達ギア８８を介して回転駆動力が伝達されている。したがって、回転軸５１と伝達部材８０との相対回転により、伝達ギア８８の凸部８６における傾斜部８６Ｂが、伝達部材８０のカム部８４における直線部８４Ａのエッジ部８４Ｃを相対的に押す（図１０（Ａ）参照）。
【００６５】
すると、エッジ部８４Ｃが傾斜部８６Ｂに沿って移動し、伝達部材８０が回転軸５１の軸方向に移動する。そして、その移動後は、凸部８６における直線部８６Ａとカム部８４における直線部８４Ａとが互いに接触した状態を維持する。
【００６６】
こうして、傾斜部８６Ｂにエッジ部８４Ｃが相対的に押されることで、回転軸５１の軸方向、即ちピックアップロール５０の端面（被係合爪５０Ａ）に向かって移動した伝達部材８０は、その係合爪８２を、ピックアップロール５０の被係合爪５０Ａに噛合（係合）させる（図１０（Ｂ）参照）。これにより、回転軸５１の回転駆動力が伝達部材８０を介してピックアップロール５０に伝達され、そのピックアップロール５０が回転軸５１と共に回転駆動される。
【００６７】
ここで、少なくともピックアップロール５０の伝達部材８０の外周面と筐体４８の内周面との間には、伝達部材８０に対して回転方向（周方向）の摺動抵抗を付与するマイラー９０が設けられている。したがって、伝達部材８０は、回転軸５１に連れ回りされることなく、回転軸５１の軸方向に移動する。
【００６８】
すなわち、この伝達部材８０及び伝達ギア８８は樹脂材で成形されているため、その伝達部材８０の近傍を原稿Ｇが通過することで発生する静電気により、伝達部材８０が伝達ギア８８に吸着され（伝達部材８０の回転方向の摺動抵抗が低減され）、伝達ギア８８（回転軸５１）と伝達部材８０とが連れ回るおそれがあった。
【００６９】
しかしながら、この伝達部材８０には、マイラー９０によって、その回転方向に適度な摺動抵抗が付与されるため、伝達ギア８８（回転軸５１）と伝達部材８０とは、マイラー９０が設けられていない構成に比べて、確実に相対回転する。つまり、伝達部材８０は、カム部８４が凸部８６に係合することにより、回転軸５１の軸方向へ移動し、係合爪８２を被係合爪５０Ａに噛合させる。
【００７０】
したがって、回転軸５１の回転駆動力がピックアップロール５０に伝達され、ピックアップロール５０に回転不良が生じることがない。よって、原稿収容台４２上に収容された原稿Ｇは、接触位置に回転移動したピックアップロール５０により、不具合なく送出ロール５２へ送られる。つまり、これにより、原稿収容台４２に収容された原稿Ｇの送出性が向上される。
【００７１】
しかも、このマイラー９０は、長手方向（回転方向）一端部９０Ａのみが筐体４８に取り付けられ、他端部９０Ｂ側は自由端とされているので、そのマイラー９０自身の弾性力により、伝達部材８０には、回転方向の摺動抵抗が適度に付与されている。そして、このマイラー９０の幅は、伝達部材８０の外周面の最大幅と略同一とされているので、その伝達部材８０に対する回転方向の摺動抵抗がより適度に付与されている。
【００７２】
そして更に、回転軸５１の外周面には多数の溝部５１Ａが形成されているので、回転軸５１に対する伝達部材８０の軸方向の摺動抵抗は低減され、その摺動による静電気の発生が抑えられている。したがって、伝達部材８０は、伝達ギア８８（回転軸５１）と連れ回ることなく、回転軸５１の軸方向へ確実に移動される。
【００７３】
なお、マイラー９０は、ＰＥＴ製でフィルム状に形成されているため、表面抵抗が少なく、伝達ギア８８（回転軸５１）と伝達部材８０との連れ回りを阻止するために付与する摺動抵抗の微調整が可能である。つまり、伝達部材８０が回転軸５１の軸方向へ移動するのを妨げることがない程度に、その伝達部材８０に対して回転方向の摺動抵抗を付与することが可能である。
【００７４】
したがって、伝達部材８０に対し、マイラー９０によって摺動抵抗を付与しない構成に比べて、性能確認が容易となる。また、マイラー９０は、ＰＥＴ製でフィルム状に形成されているため、安価であり、筐体４８の形状を設計変更することなく、その筐体４８の内面と伝達部材８０の外周面との間に設けることが可能である。よって、製造コストの増加が抑えられる。
【００７５】
さて、ピックアップロール５０によって原稿収容台４２からピックアップされ、送出ロール５２によって送り出された原稿Ｇは、搬送機構４４によって搬送路４５を搬送され、反転ロール５４によって表裏反転され、原稿読取部１２によって、その読取面に記録された画像情報が読み取られる。
【００７６】
そして、原稿読取部１２によって、読取面に記録された画像情報が読み取られた原稿Ｇは、排出ロール５６によって排出口５８から排出され、原稿排出台４６の上面４６Ａに排出される（置かれる）。
【００７７】
一方、原稿Ｇの読取面に記録された画像情報が原稿読取部１２によって読み取られたら、制御部３０によって、本体部１４が稼働し、記録用紙Ｐに画像が形成される。すなわち、感光体ドラムの表面が帯電ロールによって一様に帯電され、露光装置２０から出力画像に対応した光ビームが、帯電後の感光体ドラムの表面に照射され、静電潜像が形成される。
【００７８】
そして、この静電潜像に対して、現像器がトナーを付与することにより、感光体ドラム上にトナー像が形成され、転写ロールにより、そのトナー像が記録用紙Ｐに転写される。その後、記録用紙Ｐは定着装置２６に送られ、そのトナー像が定着される。そして、トナー像が定着された記録用紙Ｐは、排出口３２からカバー部材２８上へ排出される。
【００７９】
以上、本実施形態に係る原稿搬送装置（原稿搬送部４０）及び画像形成装置１０について、図面に示す実施例を基に説明したが、本実施形態に係る原稿搬送装置及び画像形成装置１０は、図示の実施例に限定されるものではない。例えば、抵抗体としてはマイラー９０に限定されるものではなく、伝達部材８０に対して回転方向の摺動抵抗を適度に付与可能なものであればよい。例えば、発泡体（スポンジ）などでもよい。また、本実施形態に係る原稿搬送装置は、所謂スキャナーやファクシミリ等にも適用が可能である。
【符号の説明】
【００８０】
１０  画像形成装置
１２  原稿読取部
１８  画像形成部
２０  露光装置
２２  画像形成ユニット
２６  定着装置
３０  制御部
４０  原稿搬送部（原稿搬送装置の一例）
４２  原稿収容台（原稿収容部の一例）
４４  搬送機構
４５  搬送路
４８  筐体
５０  ピックアップロール（繰出部材の一例）
５０Ａ  被係合爪（被係合部の一例）
５１  回転軸
８０  伝達部材
８２  係合爪（係合部の一例）
８４  カム部
８６  凸部（移動手段の一例）
８８  伝達ギア
９０  マイラー（抵抗体の一例）
Ｇ 原稿
Ｐ 記録用紙
【図１】
2012062186.tif 000003
【図２】
2012062186.tif 000004
【図３】
2012062186.tif 000005
【図４】
2012062186.tif 000006
【図５】
2012062186.tif 000007
【図６】
2012062186.tif 000008
【図７】
2012062186.tif 000009
【図８】
2012062186.tif 000010
【図９】
2012062186.tif 000011
【図１０】
2012062186.tif 000012